(57)【特許請求の範囲】
【請求項１】
室内の窓下の腰壁に設置される暖房装置であって、給湯装置から供給される温水の循環によって放熱する放熱面をその一面に各備え、かつ、通気用の隙間を介して放熱面を対向させた状態に平行かつ並列に組み付けた２枚の温水パネルで構成され、放熱面を壁面と平行させ且つ腰壁の床から離間させた位置に取り付けられることにより、床側の空気を通気用の隙間で加温して上方の窓側へ放出するように構成されており、２枚の温水パネルは、腰壁側に取り付けられる第１の温水パネルと、当該第１の温水パネルに組み付けられた部屋内側の第２の温水パネルとからなり、第２の温水パネルは、腰壁に固定された第１の温水パネルに対して接近離間可能に構成されていることを特徴とする窓際の暖房装置。
【請求項２】
２枚の温水パネルは、各々、発泡樹脂成形体からなる板状基材と、当該板状基材の一面側の溝に配置された温水循環路としての通水管と、板状基材の一面側表面に貼着された熱拡散シートと、板状基材の他面側および熱拡散シートの外面側にそれぞれ配置された保護板とから主に構成され、しかも、第２の温水パネルの部屋内側へ向けられた保護板の表面が意匠面に形成されている請求項１に記載の窓際の暖房装置。
【請求項３】
２枚の温水パネルは、各々、扁平な容器に蓄熱材を封入してなる板状基材と、当該板状基材の一面側の溝に配置された温水循環路としての通水管と、板状基材の一面側表面に貼着された熱拡散シートと、板状基材の他面側および熱拡散シートの外面側にそれぞれ配置された保護板とから主に構成され、しかも、第２の温水パネルの部屋内側へ向けられた保護板の表面が意匠面に形成されている請求項１に記載の窓際の暖房装置。
【発明の詳細な説明】
【技術分野】
【０００１】
本発明は、窓際の暖房装置に関するものであり、詳しくは、寒冷季に居室の窓で生じるコールドドラフトを防止するための窓際の暖房装置に関するものである。
【背景技術】
【０００２】
寒冷季においては、低温の外気で窓ガラスが冷却され、窓付近の室内空気が冷やされるため、窓際においては、床側へ向かう冷気の流れ、いわゆるコールドドラフトが生じる。コールドドラフトを防止する技術としては、例えば、居室の窓下の腰壁に設置される暖房器であって、電気式の面状発熱体が各積層された２枚のパネル部を対向配置した扁平な箱形構造に構成され、装置下部の空気導入用の開口から２枚のパネル部の間の隙間に床側の空気を導入し、これを面状発熱体で加温し、上端部の空気吹出し用の開口から窓側へ暖かい空気を放出することにより、窓付近の冷気の発生を防止するようにした壁面暖房器が提案されている。
【先行技術文献】
【特許文献】
【０００３】
【特許文献１】特開平１１−２２９９３号公報
【発明の概要】
【発明が解決しようとする課題】
【０００４】
ところで、上記のような壁面設置型の暖房装置は、窓ガラス全面に対応する十分な熱量の昇温空気をいわゆる電気ヒーターによって直接生成するため、消費電力の大きさに比べて熱効率が悪く、省エネルギー化を図り難いと言う問題がある。また、一年を通じて窓下の居室空間を占有するため、コールドドラフトが発生しない温暖な時期には日常生活の妨げになると言う問題があり、一層省スペースで設置できる構造が望まれる。
【０００５】
本発明は、上記の実情に鑑みてなされたものであり、その目的は、窓下の腰壁に設置されるコールドドラフト防止用の暖房装置であって、熱効率に優れ、一層の省エネルギー化を図ることができる窓際の暖房装置を提供することにある。また、本発明の他の目的は、居室における占有空間を一層低減できる窓際の暖房装置を提供することにある。
【課題を解決するための手段】
【０００６】
上記の課題を解決するため、本発明では、２枚の温水パネルを平行かつ並列に組み付けてなる温水循環型の装置を窓下の腰壁に設置し、各温水パネルの間の隙間で床側の空気を加温し、加温された空気を窓ガラスの部屋内側に供給するようにした。
【０００７】
すなわち、本発明の要旨は、室内の窓下の腰壁に設置される暖房装置であって、給湯装置から供給される温水の循環によって放熱する放熱面をその一面に各備え、かつ、通気用の隙間を介して放熱面を対向させた状態に平行かつ並列に組み付けた２枚の温水パネルで構成され、放熱面を壁面と平行させ且つ腰壁の床から離間させた位置に取り付けられることにより、床側の空気を通気用の隙間で加温して上方の窓側へ放出するように構成されており、２枚の温水パネルは、腰壁側に取り付けられる第１の温水パネルと、当該第１の温水パネルに組み付けられた部屋内側の第２の温水パネルとからなり、第２の温水パネルは、腰壁に固定された第１の温水パネルに対して接近離間可能に構成されていることを特徴とする窓際の暖房装置に存する。
【発明の効果】
【０００９】
本発明によれば、温水循環式の温水パネルによって構成されているため、熱効率に優れており、一層の省エネルギー化を図ることができる。床暖房設備の付帯設備として既設の居室でも簡単に設置でき、しかも、長時間に渡って安全に使用できる。また、本発明において、２枚の温水パネルのうち、部屋内側の第２の温水パネルを腰壁の壁面に対して接近離間可能に構成された態様によれば、不使用時には第２の温水パネルを壁面側に引込めることができ、居室における占有空間を一層低減できる。
【図面の簡単な説明】
【００１０】
【図１】本発明に係る窓際の暖房装置の設置形態を示す居室の全体図である。
【図２】本発明に係る窓際の暖房装置における温水パネルの構造および設置構造を側面側から示した縦断面図である。
【図３】本発明の他の態様に係る窓際の暖房装置における温水パネルの構造および設置構造を側面側から示した縦断面図である。
【図４】温水パネルの構造を示す図であり、分図（ａ）はパネル内部の通水管の配置形態を示した平面図、分図（ｂ）はパネルの部材構成を厚さ方向に沿って破断して示した縦断面図である。
【発明を実施するための形態】
【００１１】
本発明に係る窓際の暖房装置（以下「暖房装置」と言う。）の実施形態を図面に基づいて説明する。本発明の暖房装置は、寒冷季に窓際で生じるコールドドラフトを防止するための装置であり、図１に符号（Ｓ）で示すように、室内の窓８の下の腰壁に設置される。図１は、２箇所に暖房装置Ｓを設置した例を示している。
【００１２】
本発明の暖房装置Ｓは、図１に示すように、２枚の温水パネル１で構成されている。各温水パネル１は、窓枠の下枠に沿わせて腰壁に取り付けるため、横に細長い略長方形の正面形状を備えている。暖房装置Ｓの大きさは、窓８の面積および想定されるコールドドラフトの冷熱量に応じて、必要な放熱量を勘案して幾つかの規格として設計される、通常、温水パネル１の正面寸法は、長辺部分（水平方向の長さ）を８０〜２５０ｃｍ程度、短辺部分（高さ）を１５〜３０ｃｍ程度に設定されている。
【００１３】
各温水パネル１は、図2（ｃ）及び図３（ｃ）に示すように、各々、給湯装置（図示省略）から供給される温水の循環によって放熱する放熱面２４ｃをその一面に備えており、２枚の温水パネル１は、通気用の隙間４を介して放熱面２４ｃを対向させた状態に平行かつ並列に組み付けられている。すなわち、本発明の暖房装置Ｓは、腰壁側に取り付けられる第１の温水パネル１ａと、当該第１の温水パネルに組み付けられた部屋内側の第２の温水パネル１ｂとからなる。
【００１４】
図４（ｂ）に示すように、各温水パネル１は、発泡樹脂成形体からなる断熱材としての板状基材２０と、当該板状基材の一面側（図の上側）の溝に配置された温水循環路としての通水管２１と、板状基材２０の一面側表面に貼着された熱拡散シート２３と、板状基材２０の他面側（放熱面２４ｃと反対の面側）及び熱拡散シート２３の外面側（放熱面側）にそれぞれ配置された保護板２４とから主に構成されている。そして、通水管２１に温水を循環させることにより、温水の熱を熱拡散シート２３の全面に拡散し、板状基材２０一面側の保護板２４を介して空気を加温するようになされている。
【００１５】
具体的には、板状基材２０は、平面形状が例えば細長の長方形に形成された厚さ７〜２０ｍｍ程度の薄板状の発泡樹脂成形体の小片を多数配列して構成されている。発泡樹脂成形体としては、硬質ポリウレタン発泡体、硬質ポリエチレン発泡体、硬質ポリプロピレン発泡体、ポリスチレン発泡体、フェノール樹脂発泡体、硬質ポリ塩化ビニル発泡体、ポリメチルメタクリレート発泡体、ポリカーボネート発泡体、ポリフェニレンオキサイド発泡体、ポリスチレンとポリエチレン混合物の発泡体などが挙げられ、板状基材２０には、通水管２１を配置するための溝が当該板状基材の成型時に所定のパターンで一面に形成されている。
【００１６】
通水管２１は、板状基材２０の上記の溝に対し、熱拡散シート２３に接触する状態で配置されている。通水管２１としては、外径４〜１０ｍｍ、内径４〜７ｍｍの架橋ポリエチレン管、ポリブテン管、ポリプロピレン管、ポリエチレン管などの樹脂管が使用される。両方の温水パネル１を合わせて通水管２１の全長は５〜２５ｍ程度とされる。また、温水パネル１の放熱面２４ｃにおける出力を高め且つ放熱効率を高めるため、通水管２１の少なくとも一部分、例えば直線状に配置された部分は、その長さ方向に直交する断面がＵ字状に形成された樋状の金属製伝熱部材２２に収容して上記の溝に配置されていてもよい。
【００１７】
図４（ａ）は温水パネル１の内部構造を平面的に示したものであるが、斯かる図に示すように、通水管２１は、各温水パネル１における配置や連結を工夫することにより、２枚の温水パネル１において例えば１系統の温水循環路を構成している。具体的には、第１の温水パネル１ａにおいては、板状基材２０上に２本の通水管２１が配置されている。2本の通水管２１は、板状基材２０の長さ方向に沿って水平に伸長され且つ左右何れかの端部で折り返された状態、すなわち、細長のＵ字を横に転倒させた状態で内外に入れ子状に配置される。これに対し、第２の温水パネル１ｂにおいては、１本の通水管２１が配置されている。斯かる通水管２１は、第１の温水パネル１ａにおけるのと同様に細長のＵ字を横に転倒させ、更にＵ字の一端側を折り返して当該Ｕ字に添わせることにより、入れ子状に２つのＵ字を並べた状態に配置されている。
【００１８】
第１の温水パネル１ａにおいて、内側の通水管２１の一端には、給湯装置から伸長された温水供給管を繋ぎ込む温水入口１１が設けられ、内側の通水管２１の他端には、第２の温水パネル１ｂへ温水を供給する連結管１２が接続されている。また、外側の通水管２１の一端には、第２の温水パネル１ｂに循環させた温水を戻す連結管１２が接続され、外側の通水管２１の他端には、給湯装置へ向けて伸長された温水の戻り管を繋ぎ込む温水出口１４が設けられている。他方、第２の温水パネル１ｂにおいては、通水管２１の一端に上記の連結管１２が接続され、通水管２１の他端に上記の連結管１３が接続されている。
【００１９】
すなわち、２枚の温水パネル１における上記の温水循環路は、給湯装置から温水入口１１に供給された温水が最初に第１の温水パネル１ａの内側の通水管２１を流れた後、連結管１２を介して第２の温水パネル１ｂの通水管２１に流れ、次いで、連結管１３を介して第１の温水パネル１ａの外側の通水管２１に流れ、そして、温水出口１４から給湯装置に戻るように流路構成されている。
【００２０】
図４（ｂ）に示す熱拡散シート２３は、厚さが通常は１０μｍ〜２００μｍ、好ましくは３０μｍ〜１００μｍで且つ熱伝導性に優れた可撓性のフィルム又はシート、例えば、アルミニウム箔、錫箔、銅箔、ステンレス鋼箔などの金属箔、金属製の織布や不織布、樹脂フィルム又は樹脂シート、あるいは、これらを組合せた積層シート等によって構成されている。熱拡散シート２３は、板状基材２０の表面に接着剤や接着剤フィルム等よって貼着されている。
【００２１】
各温水パネル１において、保護板２４は、板状基材２０及びその表面の熱拡散シート２３を保護し、かつ、意匠性を高めるために配置されている。保護板２４としては、耐衝撃性および熱伝導性能に優れた薄板状部材であれば、各種金属からなる薄板を使用できる。例えば、保護板２４としては、合成樹脂シートの両面に金属シートを積層してなる複合板、すなわち、金属シート／樹脂シート／金属シートの層構成を備えた複合板が挙げられる。
【００２２】
上記のような複合板としては、アルミニウム（アルミニウム合金を含む）等からなる厚さ約０．１〜０．５ｍｍのシートと、ポリオレフィン等の熱可塑性樹脂からなる約０．６〜１．０ｍｍの芯材としてのシートとを積層したものが挙げられる。斯かる複合板は、溶融押出しされた合成樹脂シートの両面にアルミニウムシートを重ね合わせ、回転ロールの間に通過させ且つ接着剤を使用して密着することにより製造される。斯かる複合板としては、例えば三菱樹脂社製の「アルポリック」（登録商標）が挙げられる。
【００２３】
また、本発明の暖房装置においては、居室における意匠性を考慮し、少なくとも、第２の温水パネル１ｂの部屋内側へ向けられた上記の保護板２４の表面（図２及び図３において第２の温水パネル１ｂの左側の面）、すなわち、熱拡散シート２３を貼着していない板状基材２０の他面側に配置された保護板２４の表面は、塗装、フィルムコーティング、研磨仕上などによって意匠面に形成されているのが好ましい。
【００２４】
更に、図４（ａ）に示すように、各温水パネル１は、パネルとしての剛性を確保し且つ意匠性を高めるため、外周部が額縁状の枠部材２５で枠組みされている。枠部材２５は、例えば図４（ｂ）に示すように、両端が開口する中空構造のアルミニウムの押出し型材からなり、パネルの縦横に配置されることにより、通水管２１や熱拡散シート２３が付設された板状基材２０及びその両面の保護板２４を外周側から固定している。そして、縦横の枠部材２５は、これら枠部材の端部開口に挿入可能な２つのバーが互いに直交する方向に突設されたコーナー部材によって連結されている。なお、上記のような温水パネル１の単独の構造は、例えば特開２００９−２１０１８９号公報に壁面設置型の暖房器として開示されている。
【００２５】
また、図示しないが、各温水パネル１においては、上記のような発泡樹脂からなる板状基材２０に代えて、蓄熱材としての板状基材を使用することもできる。すなわち、２枚の温水パネル１は、各々、扁平な容器に蓄熱材を封入してなる板状基材と、前述と同様の通水管２１、熱拡散シート２３及び保護板２４で構成されていてもよい。そして、前述の態様と同様に、好ましくは、第２の温水パネル１ｂの部屋内側へ向けられた保護板２４の表面（熱拡散シート２３が貼着されていない板状基材の他面側に配置された保護板２４の表面）が意匠面に形成されている。
【００２６】
蓄熱材としての上記の板状基材は、前述の発泡樹脂の板状基材２０と同様に、外形を扁平な直方体に形成され且つその最大面に相当する一盤面に通水管配置用の溝が設けられた中空の容器と、当該容器に封入された液状の蓄熱材とから構成されている。蓄熱材としては、例えば、ノルマルパラフィン等の有機化合物、硫酸ナトリウム１０水和物や酢酸ナトリウム３水和物などの無機水和物が挙げられる。上記のように板状基材が蓄熱材として構成されている場合には、温水の熱を板状基材に蓄えることができるため、温水の循環状態、すなわち、温水の循環／停止による放熱量の変動が少なく、ほぼ一定の暖房効果が得られ、かつ、無駄なく温熱を利用でき、一層の省エネルギー効果が得られる。
【００２７】
本発明の暖房装置Ｓは、図１に示すように、加温された空気を窓８のガラス面近傍に供給するため、温水パネル１の放熱面２４ｃ（図２及び図３参照）を壁面７と平行させ且つ腰壁の床から離間させた位置に取り付けられることにより、床側の空気を通気用の隙間４（図２（ｃ）及び図３（ｃ）参照）で加温して上方の窓８側へ放出するように構成されている。
【００２８】
隙間４の大きさ、すなわち、第１の温水パネル１ａと第２の温水パネル１ｂとの離間距離は、通常は２０〜７０ｍｍ、好ましくは４０〜５０ｍｍに設定されている。隙間４の大きさを上記の範囲に設定する理由は次の通りである。すなわち、隙間４の大きさが２０ｍｍよりも狭い場合には、隙間４の空気の昇温効果は高くなるが、空間容積が小さいため、熱効率が低下する傾向にある。これに対し、隙間４の大きさが７０ｍｍを超えた場合には、隙間４で生成される加温用空気の温度が低くなり、しかも、より広い範囲に拡散するため、コールドドラフトの発生を十分に抑制できない。
【００２９】
更に、図２及び図３に示すように、本発明の暖房装置Ｓにおいては、居室の占有空間をできる限り低減するため、第１の温水パネル１ａは腰壁側に取り付けられ、第２の温水パネル１ｂは第１の温水パネル１ａに組み付けられており、そして、少なくとも第２の温水パネル１ｂは、腰壁の壁面７に対して接近離間可能に構成されている。換言すれば、温水パネル１のうちの第２の温水パネル１ｂが使用時には腰壁からせり出した状態となり、不使用時には腰壁に近接した状態となる、いわゆる可動構造を備えている。
【００３０】
上記の可動構造としては、腰壁に対して２枚の温水パネル１の全体が移動する構造、あるいは、第２の温水パネル１ｂだけが移動する構造が挙げられる。具体的には、２枚の温水パネル１の全体が移動する構造としては図２に示す構造が挙げられ、第２の温水パネル１ｂだけが移動する構造としては図３に示す構造が挙げられる。
【００３１】
図２に示す暖房装置Ｓにおいて、２枚の温水パネル１は、これら温水パネルの枠部材２５に渡って架け渡された複数の梁状のスペーサー３１で連結されることにより、平行かつ並列に組み付けられている。一方、窓８の下の腰壁には、６面体の一面が開放された形状の箱状のケーシング５が開放部分を部屋内側へ向けて取り付けられており、２枚の温水パネル１は、前記の開放部分からケーシング５に摺動自在に収納されている。換言すれば、２枚の温水パネル１は、腰壁に対し、一定の大きさの通気用の隙間４を保持した状態で収納可能に取り付けられている。
【００３２】
各温水パネル１の左右の枠部材２５（縦枠）には、その長さの略中央部分に水平な溝（図示省略）が切り欠かれており、かつ、ケーシング５の内側面には、前記の溝に凹凸勘合する水平な突条５１が案内として設けられている。更に、ケーシング５の両内側面（左右の内側面）には、細長の平板の先端部を屈曲させてなるストッパー６１が回動自在に取り付けられている。
【００３３】
ストッパー６１は、基端がケーシング５の内側面の支点に回動自在に取り付けられ、先端の屈曲部分が第１の温水パネル１ａと第２の温水パネル１ｂの間の隙間４に挿入されている。しかも、ストッパー６１の長さは、図２（ｃ）に示すように、当該ストッパーの長手方向を水平状態にした際、先端の屈曲部分だけが壁面７から突出する程度に設定されている。従って、突条５１に沿って前後に温水パネル１をスライドさせることができ、かつ、部屋内側へ移動させた際に第１の温水パネル１ａに対するストッパー６１の引掛け機能により温水パネル１の移動端を規定することができる。
【００３４】
すなわち、暖房装置Ｓは、不使用時は図２（ａ）に示すように２枚の温水パネル１をケーシング５に収めた状態、換言すれば、腰壁の内部に収めた状態とすることができ、使用時は図２（ｂ）に示すように第２の温水パネル１ｂを部屋内側へ引き出し、更に図２（ｃ）に示すように第１の温水パネル１ａを壁面７と略面一の位置とすることにより、放熱面２４ｃが対向し且つ上下に開口する隙間４を窓８の直下に位置させることが出来る。
【００３５】
図３に示す暖房装置Ｓにおいて、２枚の温水パネル１は、これら温水パネルの枠部材２５に渡って架け渡された複数の伸縮可能なスペーサー３２で連結されることにより、平行かつ並列に組み付けられている。そして、窓８の下の腰壁には、２枚の温水パネル１のうちの第１の温水パネル１ａが取り付けられている。換言すれば、第２の温水パネル１ｂは、腰壁に固定された第１の温水パネル１ａに対して接近離間可能に構成されている。
【００３６】
上記のスペーサー３２は、細長の平板からなる２つのリンクを連結して構成され、各温水パネル１の左右の枠部材２５（縦枠）に渡って取り付けられている。スペーサー３２の連結部分に相当する一方のリンクの先端部（図３における右側のリンクの左端部分）には、当該リンクの厚さ方向に折曲げて構成され且つ２つのリンクが直線状に伸び切った状態において他方のリンク（図３における左側のリンク）の側縁を受け止めるストッパーとしての係止片が設けられている。従って、スペーサー３２が直線状に伸び切るまで第２の温水パネル１ｂをスライドさせることができ、かつ、スペーサー３２の係止片のストッパー機能により第１の温水パネル１ａと第２の温水パネル１ｂとの隙間４を一定の大きさに保持することができる。
【００３７】
また、各温水パネル１の枠部材２５の横枠には、コイルバネ等の弾性体３４が挿入された伸縮ガイド３３が架け渡されている。伸縮ガイド３３は、複数、例えば４つの円筒体を入れ子状に勘合させ且つ各円筒体の端部に掛止部を設けて構成されている。斯かる伸縮ガイド３３は、第１の温水パネル１ａに対して平行かつ並列状態を維持したまま第２の温水パネル１ｂを接近離間させるためのずれ防止手段である。
【００３８】
更に、弾性体３４は、２枚の温水パネル１の枠部材２５に直接架け渡されており、第１の温水パネル１ａから第２の温水パネル１ｂを離間させた場合に当該第２の温水パネルを引き戻す方向に付勢する。従って、第１の温水パネル１ａから第２の温水パネル１ｂが離れた状態において前述のスペーサー３２の中央部を僅かに押し下げることにより、弾性体３４の復元力によって第１の温水パネル１ａの前面に第２の温水パネル１ｂを重ねた状態に戻すことができる。
【００３９】
すなわち、暖房装置Ｓは、不使用時は図３（ａ）に示すように第１の温水パネル１ａの前面に第２の温水パネル１ｂを重ねた状態、換言すれば、腰壁に寄せた状態とすることができ、使用時は図３（ｂ）に示すように第２の温水パネル１ｂを部屋内側へ引き出し、図３（ｃ）に示すように第１の温水パネル１ａから第２の温水パネル１ｂを一定間隔引き離すことにより、放熱面２４ｃが対向し且つ上下に開口する隙間４を窓８の直下に位置させることが出来る。
【００４０】
本発明の暖房装置Ｓは、図１に示すように、窓８の窓枠（下枠）に沿って腰壁に且つ床から離間させた位置に取り付けられる。上記のように、図２に示す態様においては、窓８の直下に隙間４が位置するように、ケーシング５から2枚の温水パネル１を引き出す。また、図３に示す態様においては、窓８の直下に隙間４を形成するように、第１の温水パネル１ａに対して第２の温水パネル１ｂを手前に移動させる。そして、給湯装置（図示要略）から供給された温水を第１の温水パネル１ａ及び第２の温水パネル１ｂに循環させ、隙間４で床側の空気を昇温し、斯かる空気を腰壁の上部の窓８に供給する。
【００４１】
なお、給湯装置としては、ガスの燃焼や電力によって温水を製造する例えば床暖房用の湯沸し装置やボイラー装置が使用される。給湯装置は、ヘッダー装置、循環用のポンプ、循環する温水の温度を検出して火力および流量を制御する制御装置などを備えており、暖房装置Ｓには、給湯装置から４０〜８０℃程度の温水が供給される。そして、暖房装置Ｓにおいて、第１の温水パネル１ａ及び第２の温水パネル１ｂに上記の温水を循環させた後、３０〜６０℃程度の温水が給湯装置へ戻される。
【００４２】
上記のように、本発明の暖房装置Ｓは、２枚の温水パネル１を平行かつ並列に組み付けてなる温水循環型の装置であり、各温水パネル１の間の隙間４で床側の空気を加温し、加温された空気を窓８のガラスの部屋内側に供給することにより、コールドドラフトの発生を防止する。本発明においては、温水の循環によって加温された空気を生成するため、電気ヒーター等を使用した方式に比べ、熱効率に優れており、省エネルギー化を図ることができる。また、床暖房設備の付帯設備として既設の居室でも簡単に設置でき、しかも、長時間に渡って安全に使用できる。
【００４３】
更に、本発明の暖房装置Ｓは、前述したように、少なくとも第２の温水パネル１ｂが腰壁の壁面７に対して接近離間可能に構成されており、不使用時には腰壁側に収めることができる。図２に示す態様においては、ケーシング５に２枚の温水パネル１を収めた状態とすることができ、また、図３示す態様においては、第１の温水パネル１ａの前面に第２の温水パネル１ｂを重ねた状態とすることができる。従って、コールドドラフトが発生しない温暖な時期においては、居室における占有空間を低減することができる。
【符号の説明】
【００４４】
１  ：温水パネル
１ａ：第１の温水パネル
１ｂ：第２の温水パネル
１１：温水入口
１２：連結管
１３：連結管
１４：温水出口
２０：板状基材
２１：通水管
２２：金属製伝熱部材
２３：熱拡散シート
２４：保護板
２４ｃ：放熱面
２５：枠部材
３１：スペーサー
３２：スペーサー
３３：伸縮ガイド
３４：弾性体
４  ：隙間
５  ：ケーシング
５１：突条
６１：ストッパー
７  ：壁面
８  ：窓
Ｓ  ：暖房装置
【図１】
0005549400.tif 000002
【図２】
0005549400.tif 000003
【図３】
0005549400.tif 000004
【図４】
0005549400.tif 000005